(57)【特許請求の範囲】
【請求項１】
外気を作業機のキャブ内に配置された空調機本体に導く作業機用空調機の外気導入装置において、前記キャブの外壁近傍に配置され外気に含まれる粗塵をフィルタリングするプレフィルタをパッケージ化したプレフィルタパッケージと、このプレフィルタパッケージの背面側に配置されプレフィルタがフィルタリングする粗塵よりも微細な塵をフィルタリングするフィルタとを備え、
前記プレフィルタパッケージは、前記フィルタの外縁部に当接し中央部に開口が形成されたプレフィルタ固定板金プレートと、このプレフィルタ固定板金プレートの前面側周囲部に配設されたシール部材と、このシール部材に当接するプレフィルタと、このプレフィルタの前面側に配置され中央部に開口が形成されたプレートとをねじで固定して形成され
ており、
前記外気導入装置は前記空調機本体に外気を導く空調機用ダクトを備え、この空調機用ダクトに前記プレフィルタパッケージが着脱自在に取り付けられており、
前記空調機用ダクトの先端部は、前記キャブの外壁の一部を構成する開閉自在なカバーの背面に設けたシューストリップに係合しており、前記カバーを開けて前記プレフィルタパッケージを着脱することを可能としたことを特徴とする作業機用空調機の外気導入装置。
【発明の詳細な説明】
【技術分野】
【０００１】
本発明は作業機に搭載された空調機の外気導入装置に係り、特に建設機械に好適な空調機の外気導入装置に関する。
【背景技術】
【０００２】
プレフィルタとフィルタを有する鉄道車両のエアフィルターの例が、特許文献１に記載されている。この公報に記載のエアフィルターは、数度の交換使用に耐え、かつ長寿命で振動にも強く交換容易とするために、ケーシングと、プリーツ状に加工され不織布からなるフィルター部と、このフィルター部の前面に配置されたシート状のプレフィルターとを有している。そして、フィルター部は、ケーシングの内側にフィルター部の弾性により圧接して装着されている。
【０００３】
プレフィルターとフィルターとを有するエアクリーナの例が、特許文献２に記載されている。この公報に記載のエアクリーナは、襞折されたメインフィルターと、メインフィルターより上流側に配置され空隙率の大きな不織布からなるプレフィルターと樹脂性フレームとを有するエレメントとを、収容・保持している。そして、フレームにはプレフィルターを取り付ける係止用突起が形成されており、係止用突起は、プレフィルターを貫通する軸部と、軸部の先端側に形成されプレフィルターの上流側に位置してプレフィルターを固定する先端径大部とを有している。
【先行技術文献】
【特許文献】
【０００４】
【特許文献１】特開２００４−５１０３７号公報
【特許文献２】特開平１０−８５５３９号公報
【発明の概要】
【発明が解決しようとする課題】
【０００５】
上記特許文献１に記載のエアフィルターは、鉄道車両の吸気用であるので、フィルター交換の容易さが重要な課題となっている。そのため、不織布で構成されたフィルター部は、このフィルター部を保持する枠型のケーシングに、フィルター部の有する弾性力で圧接されて装着されている。その結果、大きな振動が発生したりすると、加振力に起因するフィルター部を圧縮する力に、フィルター部の弾性復元力が負けて、ケーシングの枠とフィルター部間に僅かな隙間が生じるおそれがある。鉄道車両用なので、大振動が発生することがほとんど考えられないことと、走行環境が塵埃や粉塵が舞う中を走行するものではないことから、この僅かな隙間からの塵埃が内部へ侵入することについては、考慮されていない。
【０００６】
一方本発明が対象とする作業機は、代表的には建設用機械であり、その作業環境では多大な粉塵や塵埃が発生する場合があり、さらに掘削等の機械では振動も多大であるから、この特許文献１に記載のようなフィルターを作業機に用いた場合に、フィルター部の弾性力だけで隙間無くフィルター部を維持することが困難である。それとともに、フィルターそのものを装置内に保持することが困難である。
【０００７】
また、特許文献２に記載のエアクリーナ用のエレメントでは、プレフィルターをメインフィルタの前面に固定配置するために、メインフィルタからプレフィルタ側へ複数の係止部材を突出させている。しかしながら、この特許文献２に記載のエレメントでは特殊形状となり、準ライン生産の作業機ではエレメントの製作費用が増大する。それとともに、プレフィルタを固定するための流れ方向スペースが必要となる。これに対して本発明が対象とする作業機の場合には、キャブ周辺には僅かなスペースしかない状態であり、特許文献２に記載のようなプレフィルタを有する外気導入装置を配置することは、困難である。
【０００８】
本発明は上記従来技術の不具合に鑑みなされたものであり、その目的は、作業機用空調機の外気導入装置において、設置スペースを省スペースとしながら、振動等が発生しても、プレフィルタおよびメインフィルタが確実に保持されて、塵埃等の空調機内部への侵入を防止することにある。本発明の他の目的は、作業機用空調機の外気導入装置において、塵埃等の空調機内部への侵入を防止しながら、プレフィルタおよびメインフィルタの交換を容易にすることにある。
【課題を解決するための手段】
【０００９】
上記目的を達成する本発明の特徴は、外気を作業機のキャブ内に配置された空調機本体に導く作業機用空調機の外気導入装置において、キャブの外壁近傍に配置され外気に含まれる粗塵をフィルタリングするプレフィルタをパッケージ化したプレフィルタパッケージと、このプレフィルタパッケージの背面側に配置されプレフィルタがフィルタリングする粗塵よりも微細な塵をフィルタリングするフィルタとを備え、前記プレフィルタパッケージは、前記フィルタの外縁部に当接し中央部に開口が形成されたプレフィルタ固定板金プレートと、このプレフィルタ固定板金プレートの前面側周囲部に配設されたシール部材と、このシール部材に当接するプレフィルタと、このプレフィルタの前面側に配置され中央部に開口が形成されたプレートとをねじで固定して形成されており、前記外気導入装置は前記空調機本体に外気を導く空調機用ダクトを備え、この空調機用ダクトに前記プレフィルタパッケージが着脱自在に取り付けられており、前記空調機用ダクトの先端部は、前記キャブの外壁の一部を構成する開閉自在なカバーの背面に設けたシューストリップに係合しており、前記カバーを開けて前記プレフィルタパッケージを着脱することを可能としたことにある。
【発明の効果】
【００１２】
本発明によれば、作業機用空調機の外気導入装置において、プレフィルタの前面に押え板を配置し、その押え板を取り外し自在のねじ止めしてプレフィルタを押圧するようにしたので、設置スペースを省スペースとしながら、振動等が発生しても、プレフィルタおよびメインフィルタが確実に保持されて、塵埃等の空調機内部への侵入を防止できる。また、塵埃等の空調機内部への侵入を防止しながら、プレフィルタおよびメインフィルタの交換が容易になる。
【図面の簡単な説明】
【００１３】
【図１】本発明に係る外気導入装置の一実施例の主要部の分解斜視図である。
【図２】図１に示した外気導入装置におけるプレフィルタの取り付けを説明する図である。
【図３】本発明に係る作業機の一実施例の側面図である。
【図４】図３に示した作業機の外気導入経路を説明する図である。
【図５】図３に示した作業機が備えるキャブ内の空調空気吹き出し部の斜視図である。
【発明を実施するための形態】
【００１４】
以下、本発明に係る作業機用空調機の外気導入装置１２の一実施例を、図面を用いて説明する。図１は、本発明に係る空調機の一実施例の分解斜視図であり、その主要部である外気導入装置１２の部分を中心に示した図である。図２は、図１に示した外気導入装置１２の取り付け状態を説明するための図であり、外気導入装置１２を斜視図で示している。図３は、作業機２０の一種であるホイールローダの側面図であり、図４はこの作業機２０への外気の導入経路を、図５は作業機が備えるキャブ内のに配置された空調機本体と空調空気吹き出し部を示す図である。
【００１５】
ホイールローダ２０では、図３に示すように、作業者が搭乗するキャブ３０が前端側に設けられ、後輪（車輪）３１Ｒが下部に設けられた後部車体３５と、この後部車体３５の前方に左右に揺動可能に連結され下部に前輪（車輪）３１Ｆが設けられた前部車体３４とから車体３３が構成されている。後部車体３５のキャブよりも後方には、エンジン３２や図示しない複数の油圧ポンプ等がボンネット内に格納されて配置されている。
【００１６】
後部車体３５と前部車体３４との間には、前部車体を３４を後部車体３５に対して左右方向に揺動させる、一対の揺動シリンダ（図示せず）が設けられている。これにより、作業者は、車体３３を前後方向に四輪走行させながら、前部車輪３１Ｆ，３１Ｒの揺動により走行方向を操舵できる。
【００１７】
この作業機２０には、上下方向に俯仰動可能に作業装置２９が搭載されている。作業装置２９では、基端側が前部車体３４に俯仰動可能に取り付けられたアーム２５の先端部に、バケット２８が取り付けられている。バケット２８はリンク２４の一端部にも回動可能に接続されており、リンク２４の他端部はベルクランク２３に回動可能に接続されている。ベルクランク２３は、バケットシリンダ２２にその端部が回動可能に接続されている。また、アーム２５はアームシリンダ２１にその中間部が接続されている。
【００１８】
このように形成した作業装置２９では、アームシリンダ２１の伸縮により、アーム２５が上下方向に移動し、バケットシリンダ２２の伸縮によりバケットがクラウド（上向きの回動）やダンプ（下向きの回動）動作を行う。そして、例えば掘削対象物である土石等を掘削し、トラック等の荷台に積み込むことが可能になる。
【００１９】
この作業機２０では、キャブ３０の内部に、図示しないが、運転席と操作レバー装置と空調機ユニットとが設けられている。空調機ユニットは、運転席の後方に位置しており、内部に冷房用のエバポレータ、暖房用のヒータコア等を収容した空調機本体１と、この空調機本体１に送風する送風機１ａと、送風機の吸込み側に接続され詳細を後述する空調機用ダクト２とを有している。
【００２０】
また、作業者がキャブ３０内に乗り込むためのドア３６の後方であってキャブ３０の外壁下部に、キャブ３０内を空調する空気を空調機ユニットに取り込むための外気導入装置１０が設けられている。この外気導入装置１０周りの詳細を図４に示す。図４は、図３のＡ部拡大図（同図（ａ））およびそのＢ−Ｂ矢視断面図（同図（ｂ））である。
【００２１】
図４（ａ）に示すように、キャブ３０の外壁を構成しヒンジ４６の周りに開閉可能なカバー４１には、水平方向に走るルーバー４３が複数個形成されている。このルーバー４３を挟んでヒンジ４６とは、反対側にはカバー開閉用のノブ４５が設けられている。ルーバー４３は、図４（ｂ）に示すように、下向きに曲がった形状をしており、雨滴４４や塵埃がキャブ３０の内部に侵入するのを防止している。
【００２２】
カバー４１は、キャブ外壁７に形成された開口を覆っており、背面側の外周部近傍に設けたシューストリップ６が、詳細を後述する外気導入装置１２の先端部と嵌合して気密部を形成する。なお、カバーの背面側のほぼ全面にわたって、ルーバー４３間に形成される外気取り入れ口４２から導かれた外気に含まれる塵埃等の空調機本体１に侵入するのを防止するために、邪魔板４７がルーバー４３面から僅かの隙間をおいて、配置されている。
【００２３】
外気導入装置１２は、空調機本体１に接続する空調機用ダクト２と、この空調機用ダクト２に取り付けられたフィルタ３とを有している。フィルタ３の前面側である外気取り入れ口４２側には固定用プレート１０ａが配置されており、フィルタ３を蝶ねじ４ｃで取り付け部材８に固定する。取り付け部材８の先端側は、上記シューストリップ６に嵌合する。
【００２４】
図５に、キャブ３０内部の空調配管系を示す。フィルタ３から外気導入ダクトを経て、外気が空調機本体１に導かれる。空調機本体は、送風機１ａを有しており、キャブ３０内部の空気を取り入れ口５２から取り入れるとともに、外気を取り入れる。空調機本体で空調された空気は、空調機本体１に隣接する足元吹き出し口５３から、その一部がキャブ３０内の作業者の足元に吹き出される。
【００２５】
また、足元吹き出し口５３部に隣り合って設けられたリア吹き出しダクト５４にも空調された空気の一部が導かれ、このリア吹き出しダクト５４の先端部に設けられたリア吹き出し口５５ａ、５５ｂから作業機２０の作業者の背面側に空調空気が吹き出される。さらに、リア吹き出しダクト５４から作業者の前方へ空調空気を導くために、作業機２０の操作部近辺に前方吹き出し立上ダクト５６が設けられており、この立上ダクトの先端部には、前方から作業者へ空調空気を吹き出すための前方吹き出し口５７ａ〜５７ｃが設けられている。
【００２６】
このように構成した作業機２０の空調システムにおいて、本発明の特徴であるキャブ３０内への塵埃や雨滴の侵入を防止するフィルタ部の詳細を、図１、２を用いて説明する。図１は、本発明に係る外気導入装置１２の一実施例の主要部の分解斜視図（同図（ａ））および図１（ａ）のＢ−Ｂ矢視図（同図（ｂ））であり、プレフィルタ部及びフィルタ部の図である。図２は、図１に示した外気導入装置１２におけるプレフィルタ５の取り付けを説明する図であり、同図（ａ）はプレフィルタパッケージ１０を組み込む前の図、同図（ｂ）は、プレフィルタパッケージ１０を空調機用ダクト２に取り付けた後にキャブ外壁７のカバー４１を取り去った図である。
【００２７】
空調機本体１には、空調機用ダクト２が気密に接続されており、空調機用ダクト２の前面側（外気取り入れ口４２側）には、フィルタ３が収納される。本実施例では、フィルタ３は、プレフィルタパッケージ１０が備えるプレフィルタ固定板金プレート１０ａを前面側に当接させている。そして、このプレフィルタ固定板金プレート１０ａに形成された開口部４ｑの長辺の一方側に複数の貫通穴４ｄを形成して蝶ねじ４ｃを通し、空調機用ダクト２の内部に取り付けたねじ部材４ｐのねじ穴４ｆに係合させて、フィルタ３を空調機用ダクト２に保持している。
【００２８】
ところで、本発明ではフィルタ３の他にプレフィルタ５も取り付けて、さらに塵埃等がキャブ３０の内部に侵入することを防止するとともに、プレフィルタ５の点検周期とフィルタ３の点検周期を変えることができるようにして、比較的大きな異物（粗塵埃）を簡単に取り出すようにしている。そのため、プレフィルター５の交換や点検、取出しが容易なように、プレフィルタをパッケージ化した。このプレフィルターパッケージ１０について、以下に説明する。
【００２９】
フィルタ３は従来と同様の方法で空調機用ダクト２に取り付けることが可能なように、プレフィルタ固定板金プレート１０ａの外形形状は従来どおりである。つまり、プレフィルタの開口部４ｑの形状及び外周部形状、厚み等を従来どおりとした。ただし、プレフィルタ５を固定するために、プレフィルタ固定板金プレート１０ａの上辺に、ナット形状部材４ｄが取り付けられたＬ字上部材４ｊを２個、幅方向に僅かな隙間を設けて取り付けている。また、プレフィルタ固定板金プレート１０ａの下辺には、幅方向端部が上方に折れ曲がったコの字型部材４ｋを取り付けている。このコの字型部材４ｋの幅方向中間部に複数のナット形状部材４ｅが取り付けられており、下方からねじ４ｂをねじ込むことが可能になっている。
【００３０】
プレフィルタ固定板金プレート１０ａの前面側であって、開口部４ｑを囲むように、シール部材１０ｂを取り付ける。シール部材１０ｂは弾性変形しやすいウレタンやスポンジ等の樹脂で構成されている。このシール部材１０ｂを取り付けた様子を図１（ｂ）に示す。この図１（ｂ）では、蝶ねじ４ｃが貫挿された状態を示している。
【００３１】
プレフィルタ固定板金プレート１０ａの前面側であって、シール部材１０ｂと当接させて、プレフィルタ５が配置されている。プレフィルタ５は、当然のことながらフィルタ３よりも目の粗い素材のものを使用している。プレフィルタ５の上辺中央部には、プレフィルタを位置決めするために突起４ｎが形成されており、この突起はプレフィルタ固定板金プレート１０ａに取り付けた２個のＬ字状部材４ｊ間に形成された隙間に嵌合する。
【００３２】
プレフィルタ５の前面には、中央部に開口４ｒが形成された枠型のプレート１０ｃが配置される。この枠型のプレート１０ｃの上辺には、複数個所貫通穴４ｇが形成されている。この貫通孔４ｇにねじ４ａを貫挿し、プレフィルタ固定板金プレート１０ａに取り付けたナット形状部材４ｄにねじ込むことにより、プレフィルタ５は気密に固定される。
【００３３】
なお、プレート１０ｃの下辺は、背面側に折れ曲がっており、この折れ曲がり部４ｍに形成した複数の貫通穴４ｈにねじ４ｂを差し込み、プレフィルタ固定板金プレート１０ａの下辺に取り付けたナット状部材４ｅにねじ込むことにより、プレフィルタ５の上下方向の位置決めがなされる。ねじ４ａ、４ｂをねじ込むことにより、プレート１０ｃおよびプレフィルタ５、シール部材１０ｂ、プレフィルタ固定板金プレート１０ａにより、薄型のプレフィルタパッケージ１０が形成される。このようにプレフィルタパッケージ１０を薄型にできるので、キャブ外壁７との間で僅かな空間しか取れない状態でも、外気を空調機本体１に導くことが可能になる。
【００３４】
このように構成したプレフィルタパッケージ１０を用いたフィルタ部の組み立て手順を、図２を用いて説明する。図２（ａ）は、プレフィルタパッケージ１０の固定前の状態であり、図２（ｂ）は固定後の状態である。フィルタ３は、背面側の傾斜部等を利用して空調機用ダクト２内に挿入されている。プレフィルタ固定板金プレート１０ａを取り付け部材８に当接させ、蝶ねじ４ｃを用いてプレフィルタパッケージ１０を空調機用ダクト２に固定する。
【００３５】
メンテナンス時は、図２（ｂ）に示すように、キャブ外壁７部のカバー４１を開け、蝶ねじ４ｃを取り外すだけで、簡単にプレフィルタパッケージ１０を取り出すことができる。通常はこれだけで済むが、汚れが激しい場合等には、さらにフィルタ３を取り出す。その際、フィルタ３は空調機用ダクト２には固定されていないので、簡単に前方に引き出すことが可能になる。なお、プレフィルターパッケージ１０と邪魔板４７とは、外気が流通できる数１０ｍｍの隙間があればよく、プレフィルタ５を設けても外気導入装置の大型化は回避できる。
【００３６】
以上の実施例においては、作業機としてホイールローダを取り上げたが、作業機はこれに限るものではなく、ブルドーザや油圧ショベルであってもよい。塵埃の発生しやすい環境で使用されるものであって、外気を取り入れて空調する作業機であれば、塵埃のキャブ内への侵入を大幅に低減できる。また、説明が容易なようにキャブ外壁のカバーを取り外して説明しているが、キャブ外壁のカバーは開けるだけで上記作業は可能である。
【符号の説明】
【００３７】
１…空調機本体、２…空調機用ダクト、３…フィルタ、４ａ、４ｂ…ねじ、４ｃ…蝶ねじ、４ｄ、４ｅ…ナット状部材、４ｆ…ねじ穴、４ｇ、４ｈ…貫通穴、４ｊ…Ｌ字状部材、４ｋ…コの字状部材、４ｍ…折り曲げ部、４ｎ…突起、４ｐ…ねじ状部材、４ｑ、４ｒ…開口（部）、５…プレフィルタ、６…シューストリップ、７…キャブ外壁、８…取り付け部材、１０…プレフィルタパッケージ、１０ａ…プレフィルタ固定板金プレート、１０ｂ…シール部材、１０ｃ…プレート、１２…外気導入装置、２０…作業機（ホイールローダ）、２１…アームシリンダ、２２…バケットシリンダ、２３…ベルクランク、２４…リンク、２５…アーム、２８…バケット、２９…作業装置、３０…キャブ、３１Ｆ、３１Ｒ…車輪、３２…エンジン、３３…車体、３４…前部車体、３５…後部車体、３６…ドア、４１…カバー、４２…外気取り入れ口、４３…ルーバー、４４…雨滴、４５…ドアノブ、４６…ヒンジ、４７…邪魔板、５１…床面、５２…内気取り入れ口、５３…足元吹き出し口、５４…リア吹き出しダクト、５５ａ、５５ｂ…リア吹き出し口、５６…前方吹き出し立上ダクト、５７ａ、５７ｂ、５７ｃ…前方吹き出し口。
【図１】
0005583608.tif 000002
【図２】
0005583608.tif 000003
【図３】
0005583608.tif 000004
【図４】
0005583608.tif 000005
【図５】
0005583608.tif 000006